(57)【要約】【課題】構造が簡単で部品点数の少ない腕時計を得る。【解決手段】本発明による腕時計は時計ケース１４を有する時計本体１０と、該時計本体を収納する収納部１２を有するバンド１１と、時計本体とバンドとを固定するための固定用ピン１３とを備え、時計本体とバンドとを連通する係合孔１５、１６を設け、その係合孔に固定用ピンを挿通し抜け止めして、時計本体とバンドとを固定する。この結果、簡単構造で部品点数の少ない腕時計を得る事ができた。【選択図】      図１
2004248872.tif 000002
【特許請求の範囲】
【請求項１】
時計ケースを有する時計本体と、該時計本体を収納する収納部を有するバンドと、前記時計本体と前記バンドとを固定するための固定用部材とを備え、前記時計本体とバンドとを連通する係合孔を設け、その係合孔に前記固定用部材を挿通し抜け止めすることによって、前記時計本体とバンドとを固定することを特徴とする腕時計。
【請求項２】
前記固定用部材が固定ピンからなり、該固定ピンを前記係合孔に圧入することによって、時計本体とバンドとを固定することを特徴とする請求項１記載の腕時計。
【請求項３】
前記固定用部材は一部の外径が他の部分より小径で溝状の小径外形部を有する溝付きピンと、該溝付きピンの小径外形部に装着され、その外径が前記係合孔の内径より大きい弾性材料からなる抜止用リングとを備え、該抜止用リングを装着した溝付きピンを前記係合孔に連通し、前記係合孔の内径で前記抜止用リングを圧縮することによって前記時計本体とバンドとを固定することを特徴とする請求項１記載の腕時計。
【請求項４】
前記固定用部材が中空体の両端部に雌ネジを有するパイプと、該パイプの両端に設けた雌ネジと螺着する固定用ネジとを備え、前記パイプを前記係合孔に連通し、前記雌ネジに固定用ネジを螺着することによって、前記時計本体とバンドとを固定することを特徴とする請求項１記載の腕時計。
【請求項５】
前記時計本体とバンドとに連通する係合孔がバンド幅方向に形成され、且つ前記時計本体およびバンドの１２時側と６時側とにそれぞれ設けられていることを特徴とする請求項１から４記載のいずれか１項に記載の腕時計。
【発明の詳細な説明】
【０００１】
【発明の属する技術分野】
本発明は、腕時計に関し、特に時計本体がバンドに形成された環状の収納部に取り外し可能に取付けられた腕時計に関するものである。
【０００２】
【従来の技術】
従来技術における腕時計として、図６に示すように時計本体がバンドに形成された収納部に取り外し可能に取付けられた構造が開示されている。（例えば、特許文献１参照。）以下、図６に基づいて説明する。
この腕時計は、時計本体１と金属製バンド２に連結された半環状の金属製収納部３と、収納部３の一端に枢着された半月状の開閉部４とよりなり、時計本体１を収納部３内に嵌め、開閉部４を閉じ、開閉部４の孔５に収納部３の固定部６においてピンを収入して固定し、時計本体を収納固定するものである。
【０００３】
【特許文献１】
特許第３２８０００２号公報（第３−４頁、第１１図）
【０００４】
【発明が解決しようとする課題】
この腕時計は、収納部３と開閉部４、固定部６等が設けられており、構造が複雑で部品点数が多くコスト高となる。また収納部は構造上、樹脂材は強度不足で使用できず、材質が金属に限定され、且つデザインが限定される、などの欠点がある。
【０００５】
したがって、本発明の目的は構造が簡単で、かつ部品点数が少ない構造であり、且つデザインバリエーションの広い腕時計を提供するにある。
【０００６】
【課題を解決するための手段】
請求項１による発明は、時計ケースを有する時計本体と、該時計本体を収納する収納部を有するバンドと、前記時計本体と前記バンドとを固定するための固定用部材とを備え、前記時計本体とバンドとを連通する係合孔を設け、その係合孔に前記固定用部材を挿通し抜け止めすることによって、前記時計本体とバンドとを固定することを特徴とする。
【０００７】
請求項２による発明は、前記固定用部材が固定ピンからなり、該固定ピンを前記係合孔に圧入することによって、時計本体とバンドとを固定することを特徴とする。
【０００８】
請求項３による発明は、前記固定用部材は一部の外径が他の部分より小径で溝状の小径外形部を有する溝付きピンと、該溝付きピンの小径外形部に装着され、その外径が前記係合孔の内径より大きい弾性材料からなる抜止用リングとを備え、該抜止用リングを装着した溝付きピンを前記係合孔に連通し、前記係合孔の内径で前記抜止用リングを圧縮することによって前記時計本体とバンドとを固定することを特徴とする。
【０００９】
請求項４による発明は、前記固定用部材が中空体の両端部に雌ネジを有するパイプと、該パイプの両端に設けた雌ネジと螺着する固定用ネジとを備え、前記パイプを前記係合孔に連通し、前記雌ネジに固定用ネジを螺着することによって、前記時計本体とバンドとを固定することを特徴とする。
【００１０】
請求項５による発明は、前記時計本体とバンドとに連通する係合孔がバンド幅方向に形成され、且つ前記時計本体およびバンドの１２時側と６時側とにそれぞれ設けられていることを特徴とする。
【００１１】
【発明の実施の形態】
（第１実施形態）
図１は本発明の第１実施形態を示す分解斜視図、図２（ａ）は平面図、図２（ｂ）は図２（ａ）におけるＩＩ−ＩＩ線による部分拡大断面図である。
【００１２】
図１に示すように、本発明による腕時計は時計本体１０と樹脂製のバンド１１と、該バンド１１に形成された環状の収納部１２と、一対の固定ピン１３とよりなる。
時計本体１０は金属又はウレタンなどの樹脂製ケース１４を有し、このケース１４には文字板の１２時および６時の側においてバンド幅方向に一対の係合孔である貫通孔１５が形成されている。
【００１３】
一方バンド１１はウレタンなどの樹脂製で、収納部１２は時計ケース１４が嵌合する大きさ形状に形成されている。そして、バンド１１及び収納部１２を貫通する四個の係合孔である孔１６が孔１５に対向して形成されている。孔１６は孔１５より小径で、固定ピン１３は孔１５を貫通し、孔１６に圧入される直径に形成されている。
【００１４】
本腕時計を組立てるには、時計本体１０をバンドの収納部１２内に収め、孔１５を収納部の孔１６に合わせ、二個のピン１３を夫々孔１６、１５に挿入し、孔１６に圧入することにより時計本体１０が収納部１２に固定される。
【００１５】
（第２実施形態）
図３（ａ）は第２実施形態の固定部を示す拡大断面図、図３（ｂ）は溝付きピンの側面図、図３（ｃ）は抜止用リングの側面図、図３（ｄ）は抜止用リングの平面図である。
本実施形態においては、時計ケース２０及び収納部２１に同径の係合孔である孔２２、２３が形成され、溝付きピン２４は収納部２１の孔２３に圧入されることのないような小径に形成され、時計ケース２０に対応する部分に一対の環状溝２５が形成されている。
【００１６】
そして溝２５には弾性樹脂製の抜止用リング２６が係合されるようになっている。抜止用リング２６はピン２４の径及び孔２２の内径より大なる外形を有する。
本腕時計を組立てるには、時計ケース２０を収納部２１内に収め、ピン２４の溝２５にリング２６を嵌め、リング２６を圧縮させてピン２４を孔２３，２２に挿入してリング２６を孔２２に圧接させることによりケース２０が固定される。
【００１７】
（第３実施形態）
図４（ａ）は第３実施形態を示す平面図、図４（ｂ）は図４（ａ）におけるＩＶ−ＩＶ線の拡大断面図、図５（ａ）は固定パイプの断面図、図５（ｂ）は固定用ネジの側面図である。
時計ケース３０及び収納部３１には同径の係合孔である孔３２，３３が形成されており、その孔より小径の一対の固定パイプ３４が備えられている。各パイプ３４には両端に雌ネジ３５が刻設されている。
一方、孔３２より大径の頭部を有し各雌ネジ３５に螺入されるネジ３６が用意されている。
腕時計を組立てるには、時計ケース３０を収納部３１内に収め、パイプ３４を孔３３、３２に挿入し、ネジ３６を各雌ネジ３５に螺入することによりパイプ３４は抜け止めされ、ケース３０が固定される。
【００１８】
尚、各実施形態においては、時計本体とバンドとを連通する係合孔がバンド幅方向に形成され、且つ前記時計本体及びバンドの１２時側と６時側とにそれぞれ設けた例で説明したが、これに限定されるものではなく、前記係合孔の連通方向はバンド幅方向以外であっても良い。
また、係合孔を前記時計本体及びバンドの１２時側と６時側との２カ所に設けた例で説明したがいずれか１カ所であっても良い。
【発明の効果】
本発明によれば、構造が簡単で部品点数が少ない構造であるため、コストの低減が出来る。また、時計ケース、バンドに使用する材質が制限されず、デザインバリエーションが拡大される。
【図面の簡単な説明】
【図１】本発明の第１実施形態を示す分解斜視図である。
【図２】図２（ａ）は本発明の第１実施形態を示す平面図、（ｂ）は図２（ａ）におけるＩＩ−ＩＩ  による部分拡大断面図である。
【図３】図３（ａ）は第２実施形態の固定部を示す拡大断面図、（ｂ）は溝付き固定ピンの側面図、（ｃ）は抜止用リングの側面図、（ｄ）は抜止用リングの平面図である。
【図４】図４（ａ）は第３実施形態を示す平面図、（ｂ）は図４（ａ）におけるＩＶ−ＩＶ線の拡大断面図である。
【図５】図５（ａ）は第１実施形態における固定パイプの断面図、（ｂ）は固定用ネジの側面図である。
【図６】従来の腕時計の平面図である。
【符号の説明】
１                    時計本体
２                    バンド
３                    収納部
４                    開閉部
５                    孔
６                    固定部
１０                時計本体
１１                バンド
１２                収納部
１３                ピン
１４                ケース
１５                孔
１６                孔
２０              時計ケース
２１                収納部
２２                孔
２３                孔
２４                ピン
２５                溝
２６                リング
３０                時計ケース
３１                収納部
３２                孔
３３                孔
３４                パイプ
３５                雌ネジ
３６                ネジ
【図１】
2004248872.tif 000003
【図２】
2004248872.tif 000004
【図３】
2004248872.tif 000005
【図４】
2004248872.tif 000006
【図５】
2004248872.tif 000007
【図６】
2004248872.tif 000008